(57)【要約】【課題】複数のアプリケーションの各データ転送速度が大きく異なる場合であっても、アプリケーションを動作させる際に消費電力を低減可能な通信装置を提供すること。【解決手段】基地局との無線通信を行う伝送部１１とアプリケーション動作を行うアプリケーション部１２とが通信網を介して接続された構成を有し、通信網の同期信号であるデータ転送クロックにしたがって、データを伝送部１１およびアプリケーション部１２間で転送する。アプリケーション識別部１２２がアプリケーションの種別を識別すると、データ転送クロック周波数可変部１１５１は、この識別されたアプリケーションのデータ転送速度を基に、データ転送クロックの周波数を変化させる。アプリケーション部動作クロック生成部１２５は、識別されたアプリケーションの種別およびデータ転送クロックを基に、アプリケーション部１２の動作クロックを生成する。【選択図】    図１
2004221961.tif 000002
【特許請求の範囲】
【請求項１】
通信を行う伝送手段とアプリケーション動作を行うアプリケーション手段とが互いに通信可能に分離して構成された通信装置であって、
前記伝送手段および前記アプリケーション手段は、それぞれ、
前記アプリケーション手段で実行されるアプリケーションの種別を識別するアプリケーション識別手段と、
前記アプリケーション識別手段によって識別されたアプリケーションの種別に応じて、前記伝送手段と前記アプリケーション手段との間で行われるデータ転送のクロック周波数を変更するデータ転送クロック周波数可変手段と、を備え、
前記アプリケーション手段は、
前記アプリケーション識別手段によって識別されたアプリケーションの種別および前記データ転送のクロック周波数に応じて、当該アプリケーション手段での動作クロックを生成するアプリケーション動作クロック生成手段を備えたことを特徴とする通信装置。
【請求項２】
前記伝送手段は、
前記アプリケーション識別手段によって識別されたアプリケーションの種別に応じて、当該伝送手段での動作クロックを生成する伝送動作クロック生成手段を備えたことを特徴とする請求項１記載の通信装置。
【請求項３】
前記アプリケーション手段は、
実行され得る各アプリケーションに対応した前記データ転送のクロック周波数と同じ周波数のローカルクロックを生成するローカルクロック生成手段と、
前記ローカルクロック生成手段によって生成されたローカルクロックと、前記伝送手段との間で行われるデータ転送クロックとのいずれかを選択するクロック選択手段と、
前記伝送手段が所定の状態のときは前記ローカルクロックを選択するよう前記クロック選択手段を制御するクロック選択制御手段と、を備え、
前記アプリケーション動作クロック生成手段は、前記クロック選択手段によって選択されたクロックに応じて、当該アプリケーション手段での動作クロックを生成することを特徴とする請求項１または２記載の通信装置。
【請求項４】
前記アプリケーション手段は、
実行され得るアプリケーションのそれぞれに対応する各計数値を記憶した計数値記憶手段と、
前記アプリケーション識別手段によって識別されたアプリケーションに対応した、前記計数値記憶手段に記憶されている計数値が示す時間を計数する計数手段と、
を備えたことを特徴とする請求項１、２または３記載の通信装置。
【請求項５】
前記アプリケーション手段は、
実行され得るアプリケーションのそれぞれに対応するアクセス待ち数を記憶したアクセス待ち数記憶手段と、
前記アプリケーション識別手段によって識別されたアプリケーションに対応した、前記アクセス待ち数記憶手段に記憶されているアクセス待ち数によるアクセスサイクル時間で周辺デバイスとデータの読み出し／書き込みを行う周辺デバイスアクセス手段と、
を備えたことを特徴とする請求項１、２または３記載の通信装置。
【請求項６】
前記伝送手段と前記アプリケーション手段は互いに無線で通信可能であることを特徴とする請求項１、２、３、４または５記載の通信装置。
【発明の詳細な説明】
【０００１】
【発明の属する技術分野】
本発明は、通信を行う伝送部とアプリケーション動作を行うアプリケーション部とがネットワークを介して接続された通信装置に関する。
【０００２】
【従来の技術】
第３世代移動通信サービスでは、通信速度の向上に伴い、従来の音声通話のサービスに加えて、動画像通信のサービスも開始されている。現状、６４ｋｂｐｓのＭＰＥＧ４符号化データで動画像通信サービスが行われているが、移動通信の伝送速度がさらに向上すると、８ＭｂｐｓのＭＰＥＧ２データや２５ＭｂｐｓのＤＶデータが伝送できるようになる。但し、伝送速度が飛躍的に速くなると、それに伴って通信装置の処理負荷も大きくなり、消費電力が大幅に上昇する。
【０００３】
このような通信装置において、現在サービスが行われているレベルの音声通話やメールの機能を使用し、通話時間も現在のサービスと同等以上のものを得たり、家庭用ＴＶモニタの画素数レベルの高画質映像をリアルタイムで送りたい場合には、大容量電池に付け替えて通話時間を確保するという使用形態が予測される。
【０００４】
従来の通信装置では、基地局との無線通信を行う伝送部と、音声処理や画像処理、マンマシンインタフェース等を担うアプリケーション部とに大きく分かれており、伝送部およびアプリケーション部間で音声や画像等のデータが転送される。特許文献１には、伝送部からアプリケーション部へのデータ転送方法について説明されており、アプリケーション部の動作クロックに関しては次のような方法をとっていることが容易に推察される。
【０００５】
すなわち、アプリケーションの種別によってデータ転送レートが複数設定されている場合、データを転送するためのネットワークのデータ転送レートに同期したデータ転送クロックは最も高いクロックに設定されており、必要となるデータ数だけが転送される。一方、アプリケーション部のシステムクロック（動作クロック）は、アプリケーションの種別によらずに単一の周波数で生成する。または、データ転送クロックに同期しない、ローカル発振器の発振周波数から生成されたクロックを、アプリケーション部のシステムクロック（動作クロック）に設定する。
【０００６】
このように、伝送部とアプリケーション部を分離して独立させる方法（特許文献１参照）を応用して、音声通話専用ユニットや高画質ＴＶ電話ユニット等の独立したアプリケーション部を用途に応じて切り替えて使用する場合、各アプリケーション部には、アプリケーションの種別に応じた容量の電池が設けられるといった使用形態が予測される。
【０００７】
なお、特許文献２には、低消費電力化のために周波数のみならず動作電圧を下げる方法について説明されている。
【０００８】
【特許文献１】
特開２０００−３５４１０６号公報
【特許文献２】
特開平９−２８８５２７号公報
【０００９】
【発明が解決しようとする課題】
しかしながら、上記説明した従来の通信装置には以下の問題点があった。まず、第１の問題点としては、データ転送レートが複数設定されており、各データ転送レートが例えば１２ｋｂｐｓ、２５Ｍｂｐｓといったように大幅に異なる場合に、ネットワークのデータ転送レートが低いときも高速のデータ転送クロックで転送すると、アプリケーション部のシステムクロックは当該データ転送クロックを基に生成されるため、データ転送しない時もクロックが出力される。このため、データ非転送時のクロック出力による余分な電力が消費されていた。
【００１０】
また、第２の問題点としては、アプリケーションの処理負荷が軽い場合はアプリケーション部のシステムクロックの周波数を下げなければ、特許文献２に示されるように、低消費電力化のために周波数のみならず動作電圧を下げるといった方法を実現することができない。このため、電力削減効果が小さくなってしまう。
【００１１】
また、第３の問題点としては、ネットワークのデータ転送レートに同期したデータ転送クロックを基にアプリケーション部のシステムクロックを生成するといった複雑な手法によらずに、ローカル発振器の発振周波数から生成されたクロックを基にアプリケーション部のシステムクロックを生成する場合、映像信号（転送データ）のサンプリングクロックがネットワークのデータ転送レートに同期しないため、送り側と受け側とで映像サンプリング周波数の不一致が発生してしまう。このため、送り側の映像のコマ数に対して受け側（表示側）のコマ数の不一致をコマ挿入やコマ削除によって対処しなければならず、画像に不連続部が発生していた。
【００１２】
さらに、第４の問題点としては、現状における６４ｋｂｐｓのＭＰＥＧ４、最大１５コマ／秒程度の符号化データの動画像通信サービスでは、元々がぎくしゃくした画像であるためそれほど不連続部は目立たないが、今後、伝送速度が飛躍的に向上して８ＭｂｐｓのＭＰＥＧ２データや２５ＭｂｐｓのＤＶデータを３０コマ／秒程度で伝送する場合は、コマの挿入や削除により画像の不連続部が目立ってしまうという問題があった。
【００１３】
本発明は、上記従来の問題点に鑑みてなされたものであって、複数のアプリケーションの各データ転送速度が大きく異なる場合であっても、アプリケーションを動作させる際に消費電力を低減可能な通信装置を提供することを目的としている。
【００１４】
【課題を解決するための手段】
上記目的を達成するために、本発明に係る通信装置は、通信を行う伝送手段とアプリケーション動作を行うアプリケーション手段とが互いに通信可能に分離して構成された通信装置であって、前記伝送手段および前記アプリケーション手段は、それぞれ、前記アプリケーション手段で実行されるアプリケーションの種別を識別するアプリケーション識別手段と、前記アプリケーション識別手段によって識別されたアプリケーションの種別に応じて、前記伝送手段と前記アプリケーション手段との間で行われるデータ転送のクロック周波数を変更するデータ転送クロック周波数可変手段と、を備え、前記アプリケーション手段は、前記アプリケーション識別手段によって識別されたアプリケーションの種別および前記データ転送のクロック周波数に応じて、当該アプリケーション手段での動作クロックを生成するアプリケーション動作クロック生成手段を備えている。
【００１５】
このため、複数のアプリケーションの各データ転送クロックが大きく異なる場合であっても、アプリケーション手段でデータ転送クロックが低く処理負荷が軽いアプリケーションを動作させる際は、伝送手段とアプリケーション手段との間で行われるデータ転送のクロック周波数およびアプリケーション手段の動作クロックを低くすることができる。したがって、データ転送クロックが低く処理負荷が軽いアプリケーションを動作させるときの消費電力を低減することができる。
【００１６】
また、本発明に係る通信装置は、前記伝送手段は、前記アプリケーション識別手段によって識別されたアプリケーションの種別に応じて、当該伝送手段での動作クロックを生成することが望ましい。
【００１７】
また、本発明に係る通信装置は、前記アプリケーション手段は、実行され得る各アプリケーションに対応した前記データ転送のクロック周波数と同じ周波数のローカルクロックを生成するローカルクロック生成手段と、前記ローカルクロック生成手段によって生成されたローカルクロックと、前記伝送手段との間で行われるデータ転送クロックとのいずれかを選択するクロック選択手段と、前記伝送手段が所定の状態のときは前記ローカルクロックを選択するよう前記クロック選択手段を制御するクロック選択制御手段と、を備え、前記アプリケーション動作クロック生成手段は、前記クロック選択手段によって選択されたクロックに応じて、当該アプリケーション手段での動作クロックを生成する。したがって、オフライン時や伝送手段が動作していないといった所定の状態のときであっても、アプリケーション手段を動作させることができる。
【００１８】
また、本発明に係る通信装置は、前記アプリケーション手段は、実行され得るアプリケーションのそれぞれに対応する各計数値を記憶した計数値記憶手段と、前記アプリケーション識別手段によって識別されたアプリケーションに対応した、前記計数値記憶手段に記憶されている計数値が示す時間を計数する計数手段と、を備えている。したがって、アプリケーション手段の動作クロックが変わっても、計数値をアプリケーション種別に対応した設定に変更することで、計数時間を一定とすることができる。
【００１９】
また、本発明に係る通信装置は、前記アプリケーション手段は、実行され得るアプリケーションのそれぞれに対応するアクセス待ち数を記憶したアクセス待ち数記憶手段と、前記アプリケーション識別手段によって識別されたアプリケーションに対応した、前記アクセス待ち数記憶手段に記憶されているアクセス待ち数によるアクセスサイクル時間で周辺デバイスとデータの読み出し／書き込みを行う。このように、アプリケーション手段の動作クロックが変わっても、周辺デバイスのアクセス時の待ち数をアプリケーション種別に対応した設定に変更することで、アクセスサイクル時間を一定とすることができる。
【００２０】
さらに、本発明に係る通信装置は、前記伝送手段と前記アプリケーション手段は互いに無線で通信可能である。したがって、アプリケーション手段を伝送手段と共に携帯して、使用時には、アプリケーション手段だけを取り出して使用するといった利用の仕方が可能となる。
【００２１】
【発明の実施の形態】
以下、本発明に係る通信装置の実施の形態について、〔第１の実施形態〕、〔第２の実施形態〕、〔第３の実施形態〕の順に図面を参照して詳細に説明する。なお、以下説明する通信装置は、基地局と電話網を含むネットワークに接続された無線通信装置に適用される。
【００２２】
〔第１の実施形態〕
図１は、本発明に係る第１の実施形態の無線通信装置の構成を示すブロック図である。第１の実施形態の無線通信装置は、同図に示すように、特許請求の範囲の伝送手段に該当する伝送部１１およびアプリケーション手段に該当するアプリケーション部１２を備え、互いに接続されている。伝送部１１は、特許請求の範囲のアプリケーション識別手段に該当するアプリケーション識別部１１１と、制御データ通信部１１２と、データ転送クロック周波数決定部１１３と、伝送動作クロック生成手段に該当する伝送部動作クロック生成部１１４と、データ通信部１１５とを有して構成されており、ネットワーク（図示せず）を介して他の無線通信装置と通信可能である。なお、データ通信部１１５には、特許請求の範囲のデータ転送クロック周波数可変手段に該当するデータ転送クロック周波数可変部１１５１が設けられている。
【００２３】
一方、アプリケーション部１２は、制御データ通信部１２１と、特許請求の範囲のアプリケーション識別手段に該当するアプリケーション識別部１２２と、データ通信部１２３と、データ転送クロック周波数決定部１２４と、アプリケーション動作クロック生成手段に該当するアプリケーション部動作クロック生成部１２５とを有して構成されている。なお、データ通信部１２３には、特許請求の範囲のデータ転送クロック周波数可変手段に該当するデータ転送クロック周波数可変部１２３１が設けられている。
【００２４】
以下、上記構成要素を備えた本実施形態の無線通信装置の動作について説明する。
まず、アプリケーション部１２が「高画質ＴＶ電話動作」を行う場合について説明する。アプリケーション部１２が有するアプリケーション識別部１２２が高画質ＴＶ電話動作モードを識別すると、制御データ通信部１２１および伝送部１１が有する制御データ通信部１１２を介して、伝送部１１のアプリケーション識別部１１１に高画質ＴＶ電話動作モードを示す制御データ１５１が伝送される。
【００２５】
アプリケーション識別部１１１は、当該制御データ１５１から高画質ＴＶ電話動作モードと識別する。そして、データ転送クロック周波数決定部１１３は、高画質ＴＶ電話動作モードに対応したクロック周波数「２５Ｍｂｐｓ」でアプリケーション部１２とのデータ転送を行うよう、データ通信部１１５内のデータ転送クロック周波数可変部１１５１を設定する。同様に、アプリケーション部１２では、データ転送クロック周波数決定部１２４が、データ通信部１２３内のデータ転送クロック周波数可変部１２３１に対して伝送部１１とのデータ転送をクロック周波数「２５Ｍｂｐｓ」で行うよう設定する。
【００２６】
伝送部１１は、ネットワークのデータ転送レートに同期したクロックで動作する。但し、伝送部１１のデータ転送クロック周波数可変部１１５１とアプリケーション部１２のデータ転送クロック周波数可変部１２３１との間では、クロック周波数「２５ＭＨｚ」の上り／下りデータ転送クロック１５４，１５５で上り／下りデータ１５２，１５３が伝送される。
【００２７】
また、アプリケーション部１２が有するアプリケーション部動作クロック生成部１２５は、上り／下りデータ転送クロック１５４，１５５を基に、アプリケーション部１２内の各部に供給する動作クロック（システムクロック）を生成する。図２は、アプリケーション部１２が有する第１の実施形態のアプリケーション部動作クロック生成部１２５の内部構成およびその周辺の構成を示すブロック図である。
【００２８】
図２に示すように、アプリケーション部動作クロック生成部１２５は、制御部１２５１と、音声符号化復号化部１２５２と、音声入力ＡＤ変換部１２５３と、マイク１２５４と、音声出力ＤＡ変換部１２５５と、レシーバ１２５６と、画像入力ＡＤ変換部１２５７と、撮像部１２５８と、画像出力ＤＡ変換部１２５９と、表示部１２６０と、クロック生成部１２６１〜１２６５と、画像符号化復号化部１２６６とを有して構成されている。
【００２９】
アプリケーション部動作クロック生成部１２５では、アプリケーション識別部１２２からの情報およびデータ通信部１２３からのデータ転送クロック（クロック周波数「２５Ｍｂｐｓ」）を基に、クロック生成部１２６１〜１２６５が、ＰＬＬや分周器によって、各部に最低必要となる周波数の動作クロック（システムクロック）を生成し出力する。したがって、撮像部１２５８から入力された映像信号は、クロック生成部１２６５で生成された動作クロックでサンプリングされ、画像符号化復号化部１２６６で符号化される。符号化された画像データは制御部１２５１に送られ、音声データと共に制御部１２５１で多重化された後、上りデータ転送クロック１５４に同期したフレームタイミング間隔で、データ通信部１２３，１１５を介して伝送部１１に送られる。
【００３０】
図３は、伝送部１１が有する伝送部動作クロック生成部１１４の内部構成およびその周辺の構成を示すブロック図である。同図に示すように、伝送部動作クロック生成部１１４は、無線送受信部１１４１と、基地局同期部１１４２と、ベースバンド処理部１１４３と、制御部１１４４と、発振器１１４５と、クロック生成部１１４６，１１４７を有して構成されている。伝送部１１では、当該伝送部１１４の動作クロック（システムクロック）が基地局同期部１１４２によってアプリケーション部１２とのデータ転送レートに同期され、本実施形態と同様の他の無線通信装置が有する伝送部にネットワークを介して高画質ＴＶ電話データを伝送する。
【００３１】
他の無線通信装置から伝送された高画質ＴＶ電話データは、下りデータ転送クロック１５５に同期したフレームタイミング間隔で、伝送部１１からデータ通信部１１５，１２３を介してアプリケーション部１２に送られる。アプリケーション部動作クロック生成部１２５内の制御部１２５１では画像データと音声データが分離され、画像データは画像符号化復号化部１２６６に送られる一方、音声データは音声符号化復号化部１２５２に送られ、それぞれ復号化される。復号化された画像データは、伝送部１１のデータ通信部１２３から送られた下りデータ転送クロック１５５を基にクロック生成部１２６５で生成された動作クロックに従って、画像出力ＤＡ変換部１２５９によってＤＡ変換され、表示部１２６０に表示される。
【００３２】
以上説明した動作において、アプリケーション部動作クロック生成部１２５中の映像信号をＡＤ変換する動作クロックと、通信相手の映像信号をＤＡ変換する動作クロックとは同期している。したがって、画像のコマ挿入やコマ落としが発生することなく、連続した自然に近い動きを実現することができる。
【００３３】
次に、アプリケーション部１２が「音声通話」だけを行う場合について説明する。アプリケーション部１２が有するアプリケーション識別部１２２が音声通話動作モードを識別すると、制御データ通信部１２１および伝送部１１が有する制御データ通信部１１２を介して、伝送部１１のアプリケーション識別部１１１に音声通話動作モードを示す制御データ１５１が伝送される。
【００３４】
アプリケーション識別部１１１は、当該制御データ１５１が音声通話動作モードと識別する。そして、データ転送クロック周波数決定部１１３は、音声通話動作モードに対応したクロック周波数「１２ｋｂｐｓ」でアプリケーション部１２とのデータ転送を行うよう、データ通信部１１５内のデータ転送クロック周波数可変部１１５１を設定する。同様に、アプリケーション部１２では、データ転送クロック周波数決定部１２４が、データ通信部１２３内のデータ転送クロック周波数可変部１２３１に対して伝送部１１とのデータ転送をクロック周波数「１２ｋｂｐｓ」で行うよう設定する。
【００３５】
伝送部１１は、ネットワークのデータ転送レートに同期したクロックで動作する。但し、伝送部１１のデータ転送クロック周波数可変部１１５１とアプリケーション部１２のデータ転送クロック周波数可変部１２３１との間では、ネットワークのデータ転送レートに同期したクロック周波数「１２ｋＨｚ」の上り／下りデータ転送クロック１５４，１５５で上り／下りデータ１５２，１５３が伝送される。このとき、データ通信部１１５，１２３の消費電力は、クロック周波数が低いため、高画質ＴＶ電話動作モード時の消費電力と比較して大幅に少なくなる。
【００３６】
また、アプリケーション部１２が有するアプリケーション部動作クロック生成部１２５は、上り／下りデータ転送クロック１５４，１５５を基に、アプリケーション部１２内の各部に供給する動作クロック（システムクロック）を生成する。アプリケーション部動作クロック生成部１２５では、アプリケーション識別部１２２からの情報およびデータ通信部１２３からのデータ転送クロック（クロック周波数「１２ｋｂｐｓ」）を基に、クロック生成部１２６１〜１２６５が、ＰＬＬや分周器によって、各部に最低必要となる周波数の動作クロックを生成し出力する。
【００３７】
但し、当該音声通話動作モードでは、画像に関係するクロック生成部１２６３，１２６５はクロックを出力しない。また、クロック生成部１２６１，１２６２，１２６４から出力される動作クロックのクロック周波数は、高画質ＴＶ電話動作モードのときのクロック周波数と比較して著しく低いため、アプリケーション部動作クロック生成部１２５における消費電力を大幅に下げることができる。
【００３８】
また、前述したように、アプリケーション識別部１１１には、高画質ＴＶ電話動作モードや音声通話動作モード等の各種モードを示す制御データ１５１が伝送されるが、このとき、伝送部動作クロック生成部１１４内のクロック生成部１１４６，１１４７は、ＰＬＬや分周器によって、最低必要となる周波数の動作クロック（システムクロック）を生成して各ブロックに出力する。但し、音声通話動作モードの場合、クロック生成部１１４６，１１４７から出力されるクロックのクロック周波数は、高画質ＴＶ電話動作モードのときのクロック周波数と比較して著しく低いため、伝送部動作クロック生成部１１４においても、消費電力を大幅に下げることができる。
【００３９】
以上説明したように、本実施形態の通信装置によれば、高画質ＴＶ電話と音声通話といったように複数のアプリケーションの各データ転送クロックが大きく異なる場合であっても、データ転送クロックが低く処理負荷が軽いアプリケーション（上記説明では音声通話）を動作させる際は、データ通信部１１５，１２３間のデータ転送クロックのクロック周波数およびアプリケーション部１２の動作クロックを低くするため消費電力を低減することができる。また、音声通話動作モード時は、高画質ＴＶ電話動作モード時と比較して映像処理を行う構成要素に対してクロックを供給する必要がないため、その分、消費電力を低減することができる。
【００４０】
〔第２の実施形態〕
第２の実施形態の通信装置が第１の実施形態の通信装置と異なる点は、第１の実施形態のアプリケーション部動作クロック生成部１２５の代わりに図４に示すアプリケーション部動作クロック生成部２２５を有している点である。図４は、アプリケーション部１２が有する第２の実施形態のアプリケーション部動作クロック生成部２２５の内部構成およびその周辺の構成を示すブロック図である。同図において、図２（第１の実施形態）と重複する部分には同一の符号を付して説明を省略する。
【００４１】
オフライン時や伝送部１１が動作していない場合、すなわちアプリケーション部１２が伝送部１１から完全に独立して動作する場合、データ通信部１２３からはクロックが得られないため、アプリケーション部１２を動作させるクロックが必要となる。第２の実施形態では、アプリケーション部１２でローカルに発振させたクロックを基に、アプリケーション部１２内の各部に供給す動作クロック（システムクロック）を生成する。このため、第２の実施形態のアプリケーション部動作クロック生成部２２５は、第１の実施形態のアプリケーション部動作クロック生成部１２５が有する構成要素に加えて、特許請求の範囲のクロック選択制御手段に該当する動作クロック源決定部４１と、ローカルクロック生成手段に該当するローカル発振器４２と、クロック選択手段に該当する動作クロック源選択部４３とを有し、オフライン時や伝送部１１が動作していないとき、動作クロック源決定部４１によってローカル発振器４２を動作させている。
【００４２】
ローカル発振器４２は、オンライン時のアプリケーション種別（高画質ＴＶ電話動作モードや音声通話動作モード等）のデータ転送クロックの周波数と同じ周波数の動作クロック源を有しており、アプリケーション識別部１２２からの情報に対応した周波数のクロックを出力するものである。また、動作クロック源選択部４３は、動作クロック源決定部４１からの指定に従って、ローカル発振器４２からのクロックまたはデータ通信部１２３からのクロックのいずれかを選択して、各クロック生成部１２６１〜１２６５に出力するものである。
【００４３】
したがって、本実施形態の通信装置によれば、オフライン時や伝送部１１が動作していない場合であっても、アプリケーション部１２を動作させることができる。
【００４４】
〔第３の実施形態〕
第３の実施形態の通信装置が第１の実施形態の通信装置と異なる点は、アプリケーション部１２が計数部データ設定部１３１を有している点である。図５は、アプリケーション部１２が有する計数部データ設定部１３１の内部構成およびその周辺の構成を示すブロック図である。同図において、図２（第１の実施形態）と重複する部分には同一の符号を付して説明を省略する。
【００４５】
計数部データ設定部１３１は、特許請求の範囲の計数値記憶手段およびアクセス待ち数記憶手段に該当する設定データ格納部５１と、設定データ読み込み／書き込み部５２と、周辺デバイスアクセス待ち設定部５３と、周辺デバイスアクセス手段に該当する周辺デバイスアクセス部５４と、タイマー計数値設定部５５と、計数手段に該当するタイマー部５６とを有して構成されている。なお、設定データ格納部５１には、高画質ＴＶ電話動作モードおよび音声通話動作モード毎に対応した設定（周辺デバイスアクセス待ち数およびタイマー計数値）が格納されている。
【００４６】
以下、計数部データ設定部１３１の動作について説明する。アプリケーション識別部１２２で高画質ＴＶ電話動作モードが識別されると、設定データ読み込み／書き込み部５２によって、設定データ格納部５１に格納されている高画質ＴＶ電話動作モードに対応した設定が読み込まれる。そして、読み込まれた設定の内、周辺デバイスアクセス待ち数が周辺デバイスアクセス待ち数設定部５３に設定され、タイマー計数値がタイマー計数値設定部５５に設定される。
【００４７】
周辺デバイスアクセス部５４は、周辺デバイスアクセス待ち数設定部５３に設定された周辺デバイスアクセス待ち数に従って、メモリ等の周辺デバイスのアクセス速度に応じた待ち数を挿入し、最適なアクセスサイクル時間で周辺デバイスとデータの読み出し／書き込み（Ｒｅａｄ／Ｗｒｉｔｅ）動作を行う。また、タイマー部５６は、タイマー計数値設定部５５に設定されたタイマー計数値に従ってタイムアップ時間を計数し、タイムアップしたタイミングでシステムに割り込み信号等の信号を出力する。
【００４８】
一方、音声通話動作モードにあっては、第１の実施形態でも説明したように、高画質ＴＶ電話動作モードよりも動作クロック（システムクロック）のクロック周波数が低くなる。したがって、周辺デバイスアクセス待ち数やアプリケーション種別によらず一定時間を計数するためのタイマー計数値は、高画質ＴＶ電話動作モードのときの値とは異なる。
【００４９】
アプリケーション識別部１２２で音声通話動作モードが識別されると、設定データ読み込み／書き込み部５２によって、設定データ格納部５１に格納されている音声通話動作モードに対応した設定が読み込まれる。そして、読み込まれた設定の内、周辺デバイスアクセス待ち数が周辺デバイスアクセス待ち数設定部５３に設定され、タイマー計数値がタイマー計数値設定部５５に設定される。
【００５０】
周辺デバイスアクセス部５４は、周辺デバイスアクセス待ち数設定部５３に設定された周辺デバイスアクセス待ち数に従って、周辺デバイスのアクセス速度（高画質ＴＶ電話動作モードの場合と同一）に応じた待ち数（高画質ＴＶ電話動作モードの場合と異なる）を挿入し、最適なアクセスサイクル時間（高画質ＴＶ電話動作モードの場合と同一）で周辺デバイスとデータの読み出し／書き込み（Ｒｅａｄ／Ｗｒｉｔｅ）動作を行う。また、タイマー部５６は、タイマー計数値設定部５５に設定されたタイマー計数値（高画質ＴＶ電話動作モードの場合と異なる）に従ってタイムアップ時間（高画質ＴＶ電話動作モードの場合と同一）を計数し、タイムアップしたタイミングでシステムに割り込み信号等の信号を出力する。
【００５１】
以上説明したように、本実施形態の通信装置によれば、アプリケーション部１２の動作クロックが変わっても、メモリ等の周辺デバイスのアクセス時の待ち数をアプリケーション種別に対応した設定に変更することで、アクセスサイクル時間を一定とすることができる。同様に、アプリケーション部１２の動作クロックが変わっても、タイマーによるタイムアップ時間を一定とすることができる。また、伝送部１１とアプリケーション部１２とが独立しているため、動作クロックのクロック周波数毎の設定を全て有している必要がなく、各アプリケーションの種別に対応した設定だけを有することによってメモリ量を削減できる。
【００５２】
なお、本実施形態では、周辺デバイスのアクセス待ち数を設定する周辺デバイスアクセス待ち数設定部５３、およびタイマー計数値を設定するタイマー計数値設定部５５とを有した例について説明したが、動作クロックのクロック周波数にかかわらず、一定時間を生成すべき部分に対し、同様に適用しても良い。また、上記説明した第１〜第３の実施形態では、伝送部１１とアプリケーション部１２との間の通信が無線であっても有線であっても良い。
【００５３】
また、伝送部１１とアプリケーション部１２は完全に独立しているので、音声通話動作モードだけを行いたい場合、音声通話動作モード機能だけを有するアプリケーション部を伝送部１１と共に携帯して、通話時には、伝送部１１をカバンやポケット等に入れたままにしておき、アプリケーション部だけを頭部に持っていきハンドセットとして使用するといった利用の仕方が可能である。音声通話動作モード機能だけをもつアプリケーション部は、高画質ＴＶ電話動作モードを実現するアプリケーション部よりも使用する部品が少なく小型軽量である。音声通話動作モードの用途が通常最も多く使用されるアプリケーションであると想定されるため、このような使用形態のアプリケーション部は常に身に付けておくためにふさわしい。したがって、小型軽量かつ低消費電力なアプリケーション部は有用であり、通信トラフィックへの影響を少なくするためにも伝送レートが低いことも有用である。なお、伝送部１１を頭部から離して使用可能であるため、無線通信時における電磁波の人体頭部への影響を大幅に削減できる。
【００５４】
一方、高画質ＴＶ電話動作モードでは、高画質用のレンズの大きさ、撮像素子の画素数や大きさ、ズームのための光学的距離等を確保するために、アプリケーション部１２は、例えばビデオムービーのような大きさのものとなる。また、消費電力も大きくなり、それをカバーするための電池も大容量になって重量も重くなる。高画質ＴＶ電話動作モードでは、特定の期間だけ使うことが想定されるので、ビデオムービーを持ち歩くような感覚で使用される。伝送レートは高いが、使用頻度が少ないことを想定しているため、使用頻度の少なさによって通信トラフィックへの影響は小さい。
【００５５】
このような、音声通話動作モード用のアプリケーション部や高画質ＴＶ電話動作モード用のアプリケーション部は、何種類ものアプリケーション種別に対応した設定を全て格納する設定データ格納部５１を有さずに、各アプリケーション種別に対応した設定だけを有していれば済む。
【００５６】
さらに、本発明に係る通信装置として、伝送部１１とアプリケーション部１２とを分離および接続することのできる放送装置や有線通信装置にも適用可能である。
【００５７】
【発明の効果】
以上説明したように、本発明に係る通信装置によれば、複数のアプリケーションの各データ転送クロックが大きく異なる場合であっても、アプリケーション手段でデータ転送クロックが低く処理負荷が軽いアプリケーションを動作させる際は、伝送手段とアプリケーション手段との間で行われるデータ転送のクロック周波数およびアプリケーション手段の動作クロックを低くすることができる。したがって、データ転送クロックが低く処理負荷が軽いアプリケーションを動作させるときの消費電力を低減することができる。
【図面の簡単な説明】
【図１】本発明に係る第１の実施形態の無線通信装置の構成を示すブロック図
【図２】アプリケーション部が有する第１の実施形態のアプリケーション部動作クロック生成部の内部構成およびその周辺の構成を示すブロック図
【図３】伝送部が有する伝送部動作クロック生成部の内部構成およびその周辺の構成を示すブロック図
【図４】アプリケーション部が有する第２の実施形態のアプリケーション部動作クロック生成部の内部構成およびその周辺の構成を示すブロック図
【図５】アプリケーション部が有する計数部データ設定部の内部構成およびその周辺の構成を示すブロック図
【符号の説明】
１１  伝送部
１２  アプリケーション部
１１１，１２２  アプリケーション識別部
１１２，１２１  制御データ通信部
１１３，１２４  データ転送クロック周波数決定部
１１４  伝送部動作クロック生成部
１１５，１２３  データ通信部
１２５  アプリケーション部動作クロック生成部
１３１  計数部データ設定部
１１４１  無線送受信部
１１４２  基地局同期部
１１４３  ベースバンド処理部
１１４４  制御部
１１４５  発振器
１１４６，１１４７  クロック生成部
１１５１，１２３１  データ転送クロック周波数可変部
１２５１  制御部
１２５２  音声符号化復号化部
１２５３  音声入力ＡＤ変換部
１２５４  マイク
１２５５  音声出力ＤＡ変換部
１２５６  レシーバ
１２５７  画像入力ＡＤ変換部
１２５８  撮像部
１２５９  画像出力ＤＡ変換部
１２６０  表示部
１２６１〜１２６５  クロック生成部
４１  動作クロック源決定部
４２  ローカル発振器
４２  ローカル発振器
４３  動作クロック源選択部
４３  動作クロック源選択部
５１  設定データ格納部
５２  設定データ読み込み／書き込み部
５３  周辺デバイスアクセス待ち設定部
５４  周辺デバイスアクセス部
５５  タイマー計数値設定部
５６  タイマー部
【図１】
2004221961.tif 000003
【図２】
2004221961.tif 000004
【図３】
2004221961.tif 000005
【図４】
2004221961.tif 000006
【図５】
2004221961.tif 000007